(57)【要約】【課題】  縦形電気掃除機の収納時には、縦形電気掃除機の高さを低くさせることができるようにした縦形電気掃除機を提供する。【解決手段】  底面に吸込開口を有する吸込室を形成した吸込口体６と、この吸込口体６に着脱自在に接続され且つ集塵室５と電動送風機３とを有する掃除機本体２と、この掃除機本体２に設けられ前記吸込室に連通した接続管１４と、この接続管１４に先端部１３ｂが着脱自在に接続されていると共に上下方向に延びたパイプ状のハンドル１３と、このハンドル１３の後部に一端が接続され他端が掃除機本体２に接続されて前記ハンドル１３と前記集塵室５とを連通する集塵ホース１０とを備えている。さらに、この縦形電気掃除機１は、前記吸込口体６の上面６ａに保持部１７を設け、前記ハンドル１３の先端部１３ｂの穴１３ｃに前記保持部を挿入することによりハンドルを吸込口体に立て掛けるようにしている。【選択図】                図４
2005192732.tif 000002
【特許請求の範囲】
【請求項１】
底面に吸込開口を有する吸込室を形成した吸込口体と、この吸込口体に接続され且つ集塵室と電動送風機とを有する掃除機本体と、この掃除機本体に設けられ前記吸込室に連通した接続管と、この接続管に先端部が着脱自在に接続されると共に上下方向に延びたパイプ状のハンドルと、このハンドルの後部に一端が接続され他端が装置本体に接続されて前記ハンドルと前記集塵室とを連通する集塵ホースとを備えた電気掃除機であって、
前記吸込口体の上面に保持部を設け、前記ハンドルの先端部を前記保持部に係合させることによりハンドルを吸込口体に立て掛けるようにしたことを特徴とする電気掃除機。
【請求項２】
前記保持部は前記ハンドルの先端部の内周面と同形に形成されている突部であることを特徴とする請求項１に記載の電気掃除機。
【請求項３】
前記保持部は、前記ハンドルの先端部が嵌合可能な凹部を有する筒部であることを特徴とする請求項１に記載の電気掃除機。
【発明の詳細な説明】
【技術分野】
【０００１】
本発明は、いわゆるアップライト式の電気掃除機に関するものである。
【背景技術】
【０００２】
従来、アップライト式の電気掃除機は、底面に吸込開口を有する吸込室を形成した吸込口体と、この吸込口体に着脱自在に接続され且つ集塵カップと電動送風機とを内蔵している掃除機本体とを有している（特許文献１参照）。
【０００３】
また、この電気掃除機は、上記掃除機本体に設けられ前記吸込室に連通した接続管と、この接続管に先端部が着脱自在に接続されていると共に上下方向に延びたパイプ状のハンドルと、このハンドルの後部に一端が接続され他端が掃除機本体に接続されて前記ハンドルと前記集塵カップとを連通する集塵ホースとを備えている。
【０００４】
部屋のコーナや高所を清掃するときには、ハンドルを掃除機本体から外すと共にハンドルの先端部から、あるいはその先端部に所要のアタッチメントを装着することで、上記吸込口体を介することなく塵埃の捕集を行っている。
【０００５】
そして、この電気掃除機を収納する場合には、ハンドルの先端部を掃除機本体の接続管に接続してハンドルを装置本体に取り付けた状態で収納する。
【特許文献１】特開平１０−５１５５号公報
【発明の開示】
【発明が解決しようとする課題】
【０００６】
このため、このアップライト式の電気掃除機においては、ハンドルを長くして高所の清掃が行えるようにすると、収納時には吸込口体の底面からハンドルの上端部までの高さが高くなってしまって不便をきたす場合がある。
【０００７】
本発明の目的は、長いハンドルであっても収納時に吸込口体の底面からハンドルの上端部までの高さを低くすることのできる電気掃除機を提供することにある。
【課題を解決するための手段】
【０００８】
本発明は、底面に吸込開口を有する吸込室を形成した吸込口体と、この吸込口体に着脱自在に接続され且つ集塵室と電動送風機とを有する掃除機本体と、この掃除機本体に設けられ前記吸込室に連通した接続管と、この接続管に先端部が着脱自在に接続されると共に上下方向に延びたパイプ状のハンドルと、このハンドルの後部に一端が接続され他端が装置本体に接続されて前記ハンドルと前記集塵室とを連通する集塵ホースとを備えた電気掃除機であって、前記吸込口体の上面に保持部を設け、前記ハンドルの先端部を前記保持部に係合させることによりハンドルを吸込口体に立て掛けるようにしたことを特徴とする。
【発明の効果】
【０００９】
この発明によれば、吸込口体の底面からハンドルの上端までの高さを低くして収納することができる。
【発明を実施するための最良の形態】
【００１０】
以下、この発明に係る電気掃除機の一実施例を図面に基づいて説明する。
【実施例】
【００１１】
図１は、いわゆるアップライト式の電気掃除機１の斜視図を示している。この電気掃除機１は、掃除機本体２と、この掃除機本体２の下部に着脱自在に取り付けられる吸込口体６とを備えている。
【００１２】
掃除機本体２は、電動送風機３と取り出し可能に設けた集塵カップ４とを備えている。電動送風機３の駆動により集塵カップ４内に負圧が作用するようになっており、集塵カップ４内が集塵室５として機能する。掃除機本体２の上部には電気掃除機１を持ち運びできるようにアーチ状の取っ手２ａが一体的に設けられている。
【００１３】
また、掃除機本体２の後部には、上下方向に延びた接続管１４が設けられており、この接続管１４の下部には回動管１５が着脱自在に接続され、接続管１４と回動管１５とが連通している。この回動管１５は吸込口体６の後部に取り付けられており吸込口体６に対して前後方向に回動可能となっている。この回動管１５は後述する吸込口体６の吸込室に連通している。
【００１４】
接続管１４の上部にはパイプ状のハンドル１３の先端部（下部）１３ｂが着脱自在に挿入され、接続管１４とハンドル１３とが連通している。ハンドル１３の上端（後部）には集塵ホース１０の一端が接続されており、接続管１４と集塵ホース１０の一端１０ｂとがハンドル１３を介して連通している。
【００１５】
また、ハンドル１３の上部には把手部１１を有する操作管１２が設けられ、ハンドル１３の中間部にはフック１６ａが設けられている。このフック１６ａは掃除機本体２の後部に設けられた係止部１６ｂに着脱自在に係合されており、フック１６ａ及び係止部１６ｂにより、ハンドル１３を掃除機本体２に係止するための係止手段１６が構成されている。
【００１６】
集塵ホース１０の他端１０ａは掃除機本体２の上部に接続され、集塵カップ４内と集塵ホース１０とが連通している。すなわち、集塵カップ４内と後述する吸込口体６の吸込室とが集塵ホース１０,ハンドル１３および接続管１４を介して連通している。吸込口体６は、底面に図示しない吸込開口を有する吸込室（図示せず）と、後部に設けた回動管１５とを有している。
【００１７】
また、吸込口体６の上面６ａには、図３（Ａ）に示すように前述したハンドル１３を保持するための保持部１７としての突部１７Ａが設けられており、この突部１７Ａの径は上にいくほど小さくなるように突部１７Ａの周面がテーパ状になっている。
【００１８】
また、突部１７Ａの外周面の形状は、ハンドル１３の先端部の円錐形状穴１３ｃの内周面と同一形状となっている。突部１７Ａをテーパ状にすることによって、ハンドル１３の先端部の円錐形状穴１３ｃを、突部１７Ａに容易に差し込むことが可能となっている。
【００１９】
電気掃除機１の不使用時又は収納時にハンドル１３を保持するための保持部としては、上述した突部１７Ａの他に図３（Ｂ），（Ｃ）に示すように筒部から形成することも可能である。
【００２０】
図３（Ｂ）において、吸込口体６の上面６ａには環状の筒部１７Ｂが一体的に設けられている。例えば、ハンドル１３の収納時にはハンドル１３の先端部の先端部１３ｂを筒部１７Ｂの凹部１７ｂ内に嵌合させて立て掛けることによりハンドル１３を保持することができる。
【００２１】
図３（Ｃ）は筒部１７Ｂの凹部１７ｂの上部側に複数（例えば４つ）の突起部１７ｃを設けた例を示している。この凹部１７ｂ内にハンドル１３を嵌合させると、筒部１７Ｂの開口部側をやや拡開させるようにしてハンドル１３は堅く嵌合される。
【００２２】
これにより、ハンドル１３の上部側（又は中間部側）を係止手段１６（図１参照）のような特別の係止手段を設けることなくハンドル１３を確実に保持することができる。
【００２３】
なお、突起部１７ｃを有する筒部１７Ｂでは、筒部１７Ｂの上部が拡開し易いように、筒部１７Ｂの上部側（開口部側）から複数の、例えば４つのスリット（図示せず）を設けることも可能である。このスリットを筒部１７Ｂに設ければ、筒部１７Ｂ上部の拡開に弾力性が生じてハンドル１３の嵌合及び保持作用をさらに安定させることができる。
【００２４】
［作用］
上述のように構成された電気掃除機１の作用について説明する。
【００２５】
図示しない電源スイッチを入れると電動送風機３が駆動される。この電動送風機３が駆動すると吸込負圧が発生し、この負圧が集塵カップ４内に作用する。そして、その負圧が集塵ホース１０,ハンドル１３,接続管１４および回動管１５を介して吸込口体６の吸込室に作用する。この負圧によって吸込口体６の底面の吸込開口から被清掃面（床面）Ｆ上の塵埃及び空気が吸い込まれ、吸込口体６の吸込室から回動管１５,接続管１４,ハンドル１３および集塵ホース１０を介して集塵カップ４内へ吸引されていく。
【００２６】
集塵カップ４内へ吸引された塵埃はこの集塵カップ４内に捕集され、空気のみが電動送風機３に吸引されて掃除機本体２の図示しない排気孔から排気される。
【００２７】
図２（Ａ）に示すように、アップライト式の電気掃除機１は、延長管１３及び掃除機本体２を後方側に少し倒して床面Ｆ上を矢印方向へ移動（又は前後動）させることにより上述したように吸込口体６から外気が吸い込まれる。
【００２８】
また、床面Ｆ以外の狭い場所や高所等の清掃をする場合には、図２（Ｂ）に示すようにハンドル１３の先端部１３ｂを掃除機本体２の接続管１４から取り外す。そして、そのハンドル１３の先端部１３ｂから直接あるいはアタッチメントを介し塵埃を吸引して高所等の清掃が行われる。
【００２９】
電気掃除機１を収納する場合、図１に示すように、ハンドル１３の先端部１３ｂを接続管１４に挿入して収納するが、吸込口体６の底面からハンドル１３の上端までの高さＨ１が高くて収納できない場合、図４に示すように、ハンドル１３の先端部１３ｂの穴を吸込口体６の上面６ａの保持部１７としての突部１７Ａに嵌入させて、ハンドル１３を吸込口体６の上面６ａに立てかければ、吸込口体６の底面からハンドル１３の上端までの高さＨ２を低くすることができる。
【００３０】
低くできる高さｈは、接続管１４の高さ分より少し大き目なものとなり、ハンドル１３を長くしても吸込口体６の底面からハンドル１３の上端までの高さＨ２を低くすることができる。
【００３１】
また、突部１７Ａの外周面の形状は、ハンドル１３の先端部の穴の内周面と同一形状となっていることにより、ハンドル１３の上部を掃除機本体２に支持しなくともハンドル１３を吸込口体６の上面６ａに立設して保持することができる。
【００３２】
前記吸込口体６に対するハンドル１３の保持作用は、吸込口体６に設けられた筒部１７Ｂにハンドル１３の先端部１３ｂを嵌合させた場合でも、上述した作用と同様に立設して保持させることができる。
【００３３】
なお、上記実施例では、掃除機本体２に集塵カップ４を設けたものについて説明したが、これに限らず集塵室を有し、この集塵室に集塵フィルタを取り付けるタイプの電気掃除機であってもよい。
【図面の簡単な説明】
【００３４】
【図１】本発明に係わる縦形電気掃除機の斜視図である。
【図２】（Ａ）は吸込口体を使用するときの縦形電気掃除機の斜視図、（Ｂ）はハンドルにアタッチメントが適用可能な状態の縦形電気掃除機の斜視図である。
【図３】（Ａ）は保持部としての突部とハンドルの先端との嵌合状態を示す拡大縦断側面図、  （Ｂ）は保持部としての筒部とハンドルの先端部との嵌合状態を示す拡大縦断側面図、（Ｃ）は筒部とハンドルの先端部との嵌合状態を示す拡大縦断側面図である。
【図４】吸込口体上にハンドルが装着された状態の縦形電気掃除機の斜視図である。
【符号の説明】
【００３５】
１          電気掃除機
２          掃除機本体
３          電動送風機
４          集塵カップ
５          集塵室
６          吸込口体
６ａ        吸込口体の上面
１０        集塵ホース
１３        ハンドル
１３ｂ      ハンドルの先端
１３ｃ      円錐形状穴
１４        接続管
１７        保持部
１７Ａ      突部（保持部）
１７Ｂ      筒部（保持部）
１７ａ      円錐形状
１７ｂ      凹部
１７ｃ      突起部
【図１】
2005192732.tif 000003
【図２】
2005192732.tif 000004
【図３】
2005192732.tif 000005
【図４】
2005192732.tif 000006